(57)【要約】  光学式と電子式とが並列されたハイブリッドなファインダ装置を通し撮影者の目に投影するＯＶＦ光像やＥＶＦ画像を見やすい画像とする。  被写体側ファインダ窓１６と撮影者側ファインダ覗き窓１７との間に配置され被写体側ファインダ窓１６からの入射光の光軸Ｌに対して斜め４５度に傾斜して配置された偏光ビームスプリッタ６９と、偏光ビームスプリッタ６９の前記入射光が入って来る側に設けられ該入射光の中のＳ偏光波を反射又はカットする偏光フィルタと、偏光ビームスプリッタ６９にＳ偏光波の表示情報を投射し偏光ビームスプリッタ６９で反射された前記表示情報を撮影者側ファインダ覗き窓１７の方向に投影する表示装置６１とを備える。
2012035820.tif 000002
【特許請求の範囲】
【請求項１】
被写体側ファインダ窓と撮影者側ファインダ覗き窓との間に配置され前記被写体側ファインダ窓からの入射光の光軸に対して斜め４５度に傾斜して配置された偏光ビームスプリッタと、
該偏光ビームスプリッタの前記入射光が入って来る側に設けられ該入射光の中のＳ偏光波を反射又はカットする偏光フィルタと、
前記偏光ビームスプリッタにＳ偏光波の表示情報を投射し該偏光ビームスプリッタで反射された前記表示情報を前記撮影者側ファインダ覗き窓の方向に投影する表示装置と
を備えるファインダ装置。
【請求項２】
請求項１に記載のファインダ装置であって、前記表示装置は画面に貼られた偏光板からＳ偏光波が出射される液晶表示装置を有するファインダ装置。
【請求項３】
請求項１に記載のファインダ装置であって、前記表示装置は画面に貼られた偏光板からＰ偏光波が出射される液晶表示装置を有し、
該液晶表示装置と前記偏光ビームスプリッタとの間に偏光が９０度変わる位相板が介挿されたファインダ装置。
【請求項４】
請求項１から請求項３のいずれか１項に記載のファインダ装置であって、前記偏光フィルタは、前記偏光ビームスプリッタの前記入射光が入ってくる側に配置される対物レンズの表面側に設けられるファインダ装置。
【請求項５】
請求項４に記載のファインダ装置であって、前記偏光フィルタは、前記対物レンズの前記表面側にコーティングされて形成されるファインダ装置。
【請求項６】
請求項１から請求項３のいずれか１項に記載のファインダ装置であって、前記偏光フィルタは、前記被写体側ファインダ窓の光入射面側に設けられるファインダ装置。
【請求項７】
請求項６に記載のファインダ装置であって、前記偏光フィルタは、前記被写体側ファインダ窓の光入射面にコーティングされて形成されるファインダ装置。
【請求項８】
請求項１から請求項７のいずれか１項に記載のファインダ装置であって、前記偏光ビームスプリッタがダイクロイックミラーで形成されるファインダ装置。
【請求項９】
請求項１から請求項８のいずれか１項に記載のファインダ装置であって、前記偏光ビームスプリッタの前記入射光が入ってくる側に、該入射光を透過し又は遮断するシャッタが設けられるファインダ装置。
【請求項１０】
被写体の画像を撮像する固体撮像素子と、請求項１から請求項９のいずれか１項に記載のファインダ装置を搭載した撮像装置。
【発明の詳細な説明】
【技術分野】
【０００１】
本発明は、光学式ビューファインダと電子ビューファインダの両方を併せ持つハイブリッドなファインダ装置とこのファインダ装置を搭載したデジタルカメラに関する。
【背景技術】
【０００２】
固体撮像素子を搭載し、撮像画像データをカメラ内でデジタル処理して記録媒体に保存するデジタルカメラにも、従来は、光学式ビューファインダ（以下、ＯＶＦともいう。）が設けられていた。撮影者はファインダを覗き、被写体の構図などを目視し、シャッタボタンを押す様になっていた。【０００３】
しかし、近年のデジタルカメラは、光学式ビューファインダを設けずに、カメラ背面に設けた大型液晶表示装置に固体撮像素子から出力されるスルー画像（ライブビュー画像）を表示し、ファインダ代わりとするのが一般的になっている。【０００４】
しかしながら、カメラ背面の大型液晶表示装置にスルー画像を表示する形式のデジタルカメラでは、このスルー画像を確認するためにカメラを顔から離して見なければならず、シャッタボタンを押したとき手振れが発生してしまうという問題がある。また、固体撮像素子から出力され画像処理されたスルー画像を表示するため、実際の被写体の状態に比べて若干のタイムラグが存在するという課題もある。【０００５】
これに対し、光学式ビューファインダの代わりに、電子ビューファインタ（以下、ＥＶＦともいう。）を搭載したデジタルカメラもある。電子ビューファインダは、小さなファインダの覗き窓内に小型液晶表示装置を設け、ここに固体撮像素子から出力されるスルー画像を表示し、撮影者に被写体の構図などを確認させるものである。【０００６】
しかしながら、電子ビューファインダは、スルー画像を表示する小型液晶表示装置の画素数が少ないため、粗い画像しか表示できず、撮影者が被写体の細かな部分の確認ができないという課題がある。また、上記と同様に、固体撮像素子から出力され画像処理されたスルー画像を表示するため、実際の被写体の状態に比べて若干のタイムラグが存在するという課題もある。【０００７】
近年のデジタルカメラには、上述した種々の問題や課題がある他、カメラファンの中には、光学式ビューファインダの復活を望む声も多い。このため、例えば下記の特許文献１に記載されている様な光学式ビューファインダと電子ビューファインダの両方を併せ持つハイブリッドなファインダ装置をデジタルカメラに搭載することが考えられている。【０００８】
このハイブリッドなファインダ装置は、光学式ビューファインダの光路の途中に斜め４５度のハーフミラーを置き、このハーフミラーに、ＥＶＦ用小型液晶表示装置の画面に表示した画像の光を投射する構成となっている。そして、光学式ビューファインダを通した被写体の光像と、ＥＶＦ用小型液晶表示装置の画面に表示した画像のいずれか一方を選択してファインダ接眼レンズを通して撮影者の目に投影し、或いは、両者を混合して撮影者の目に投影する。
【先行技術文献】
【特許文献】
【０００９】
【特許文献１】日本国特開平３―２９２０６７号公報
【発明の概要】
【発明が解決しようとする課題】
【００１０】
光学式ビューファインダを通した被写体の像と、電子ビューファインダの表示画像とを撮影者の目に投影する上記特許文献１のファインダ装置の場合、ハーフミラーを持つプリズムを通すために、ＯＶＦ光像やＥＶＦ画像が見づらくなることがある。これを図９を用いて説明する。【００１１】
図９（ａ）は、ハイブリッドなファインダ装置のうち光学式ビューファインダを通した光像を撮影者の目に投影するときの原理説明図である。被写体からの入射光は、ファインダ窓１６を通してプリズム６６に入射する。プリズム６６は、三角プリズム２個を貼り合わせて構成され、入射光に対して斜め４５度に傾斜する接合面に、例えば銀膜でなるハーフミラー６３が形成されている。【００１２】
ファインダ窓１６を透過し、ハーフミラー６３を直進して透過した被写体からのＯＶＦ光像は、プリズム６６から出射して撮影者の目に到達する。一方、ハーフミラー６３で約５０％の光が反射し、この反射光は、入射光に対して直角方向に進み、プリズム６６の端面６７に達する。【００１３】
この端面６７には、例えば炭素が塗布されており、この反射光を吸収する様になっているが、全てを吸収できるわけではなく、端面６７で反射してしまう光もある。この光が迷光となってプリズム内で多重反射し、撮影者の目に入ることになる。この光は、被写体から直進して撮影者の目に入る像をぼやけさせる有害光となる。【００１４】
図９（ｂ）は、ハイブリッドなファインダ装置のうち電子ビューファインダを通したＥＶＦ画像を撮影者の目に投影するときの原理説明図である。被写体からの入射光は、ファインダ窓１６とプリズム６６との間に設けられた図示省略のシャッタを「閉」とすることで遮断する。そして、プリズム６６に並置したＥＶＦ用表示装置６１に撮影画像や撮影条件情報等を含むＥＶＦ画像を表示する。このＥＶＦ画像の光は、プリズム６６に入射してハーフミラー６３で９０度反射される。この反射光は撮影者の目に入射し、撮影者は、ＥＶＦ用表示装置６１の表示画像を目にすることになる。【００１５】
ＥＶＦ用表示装置６１から出射された光の約５０％は、ハーフミラー６３を透過して直進し、プリズム６６の端面６７に達する。炭素が塗布された端面６７は、この透過光を吸収するが、全てを吸収できるわけではなく、端面６７で反射してしまう光もある。この光が迷光となってプリズム内で多重反射し、撮影者の目に入ることになる。この光が、ＥＶＦ表示装置６１から撮影者の目に入った画像をぼやけさせる有害光となる。【００１６】
従来のファインダ装置は、上述した有害光を無くすことが難しかったため、鮮明なＯＶＦ光像，ＥＶＦ画像を撮影者に提供するのが困難であった。【００１７】
本発明の目的は、上記の有害光を抑制し、ハイブリッドなファインダ装置を通し撮影者の目に投影するＯＶＦ光像やＥＶＦ画像を見やすい画像とするデジタルカメラ及びそのファインダ装置を提供することにある。
【課題を解決するための手段】
【００１８】
本発明のファインダ装置は、被写体側ファインダ窓と撮影者側ファインダ覗き窓との間に配置され前記被写体側ファインダ窓からの入射光の光軸に対して斜め４５度に傾斜して配置された偏光ビームスプリッタと、該偏光ビームスプリッタの前記入射光が入って来る側に設けられ該入射光の中のＳ偏光波を反射又はカットする偏光フィルタと、前記偏光ビームスプリッタにＳ偏光波の表示情報を投射し該偏光ビームスプリッタで反射された前記表示情報を前記撮影者側ファインダ覗き窓の方向に投影する表示装置とを備える。【００１９】
本発明の撮像装置は、被写体の画像を撮像する固体撮像素子と、上記記載のファインダ装置を搭載する。
【発明の効果】
【００２０】
本発明によれば、透過光と反射光とが５０％ずつとなるハーフミラーを使用せずに、Ｓ偏光波のほぼ１００％を反射しＰ偏光波のほぼ１００％を透過する偏光ビームスプリッタを用い、Ｐ偏光波で光学式ビューファインダを機能させ、Ｓ偏光波で電子ビューファインダを機能させる構成としたため、迷光が少なくなり有害光でＯＶＦ光像やＥＶＦ画像が邪魔されることがなくなる。
【図面の簡単な説明】
【００２１】
【図１】本発明の一実施形態に係るデジタルカメラの外観斜視図である。
【図２】図１に示すデジタルカメラの内部構成図である。
【図３】光学式ビューファインダを通した光学像の一例（ａ）と、この光学像に重ねて表示するＥＶＦによる情報の一例（ｂ）を示す図である。
【図４】図３（ａ）と図３（ｂ）を重ねて表示した例を示す図である。
【図５】ハイブリッドなファインダ装置の外観斜視図である。
【図６】ファインダ装置に用いる偏光ビームスプリッタの原理説明図である。
【図７】実施形態のファインダ装置の光学式ビューファインダ部分の動作説明図である。
【図８】実施形態のファインダ装置の電子ビューファインダ部分の動作説明図である。
【図９】従来のハイブリッドなファインダ装置の不具合を説明する図である。
【発明を実施するための形態】
【００２２】
以下、本発明の一実施形態について、図面を参照して説明する。
【００２３】
図１は、本発明の一実施形態に係るコンパクトタイプのデジタルカメラの外観斜視図である。本実施形態の撮像装置であるデジタルスチルカメラ１０は、矩形の筐体１１を備え、正面中央に沈胴式のレンズ鏡筒１２が設けられ、レンズ鏡筒１２内に撮影レンズ（焦点位置合わせレンズやズームレンズ等）１３が収納されている。
【００２４】
筐体１１の上端面の片側にはシャッタレリーズボタン１４が設けられ、シャッタレリーズボタン１４とは反対側の角の筐体１１内には、詳細は後述するハイブリッド形式のファインダ装置１５が設けられている。ファインダ装置１５の被写体側ファインダ窓１６が、筐体１１正面の角部に設けられ、その背面側に、ファインダ装置１５の撮影者側ファインダ覗き窓１７が設けられている。
【００２５】
図１の符号７４はフレキシブルプリント基板（ＦＰＣ）を示し、ファインダ装置１５に接続されたＦＰＣ７４（図５参照）が後述のビデオエンコーダ４１に接続される。
【００２６】
図２は、図１に示すデジタルカメラ１０の内部ブロック構成図である。デジタルカメラ１０は、固体撮像素子２１と、撮影レンズ１３と、絞り（アイリス）２４と、ＣＤＳＡＭＰ２５と、アナログデジタル（Ａ／Ｄ）変換器２６とを備える。固体撮像素子２１は、単板式カラー画像撮像用の固体撮像素子である。なお、固体撮像素子２１は、この例ではＣＣＤ型であるが、勿論、ＣＭＯＳ型等の他の形式の固体撮像素子でも良い。撮影レンズ１３は、固体撮像素子２１の前段に置かれたており、ズームレンズ１３ａと、フォーカス用レンズ１３ｂとを含む。絞り（アイリス）２４は固体撮像素子に入射する光の量を調整する。ＣＤＳＡＭＰ２５は、固体撮像素子２１の出力信号（撮像画像信号）をアナログ信号処理し、相関二重サンプラ（ＣＤＳ）と利得制御増幅器（ＡＭＰ）とを含む。Ａ／Ｄ変換器２６は、ＣＤＳＡＭＰ２５の出力信号をデジタル信号に変換する。
【００２７】
デジタルカメラ１０は、更に、画像入力コントローラ３１と、演算処理装置（ＣＰＵ）３２と、画像信号処理回路３３と、ＡＦ検出回路３４と、ＡＥ＆ＡＷＢ検出回路３５と、ＳＤＲＡＭ３６と、顔検出回路３７と、動体検出回路３８と、圧縮処理回路３９と、液晶表示装置４０と、ビデオエンコーダ４１と、メディアコントローラ４３と、これらを相互接続するバス４４とを備える。画像入力コントローラ３１は、Ａ／Ｄ変換器２６から出力されるデジタル信号でなる撮像画像信号を取り込む。演算処理装置（ＣＰＵ）３２は、このデジタルカメラ１０の全体を統括制御する。画像信号処理回路３３は、撮像画像信号を画像処理する。ＡＦ検出回路３４は、固体撮像素子２１から出力される画像データから焦点位置を検出する。ＡＥ＆ＡＷＢ検出回路３５は露出量とホワイトバランスを自動検出する。ＳＤＲＡＭ３６は、ワークメモリとして使用する記憶部として機能する。顔検出回路３７は、被写体中の「顔」画像を検出する。動体検出回路３８は、被写体中の動体を検出する。圧縮処理回路３９は、画像処理後の撮像画像データをＪＰＥＧ画像やＭＰＥＧ画像に圧縮する。ビデオエンコーダ４１は、カメラ背面等に設けられた液晶表示装置４０やファインダ装置１５内の液晶表示装置（ＥＶＦ）６１に撮像画像やスルー画像，後述の各種情報を表示する。メディアコントローラ４３は、記録メディア４２に撮像画像データを保存する。
【００２８】
このデジタルカメラ１０は、モータドライバ４６と、モータドライバ４７と、モータドライバ４８と、タイミングジェネレータ４９とを備える。モータドライバ４６は、ズームレンズ１３ａの駆動モータに駆動パルスを供給する。モータドライバ４７は、フォーカスレンズ１３ｂの位置を駆動するモータに駆動パルスを供給する。モータドライバ４８は、絞り２４の絞り位置制御を行う駆動モータに駆動パルスを供給する。タイミングジェネレータ４９は、モータドライバ４８と、固体撮像素子１１に駆動タイミングパルス（電子シャッタパルス，読み出しパルス，転送パルス等）を供給する。モータドライバ４６と、モータドライバ４７と、モータドライバ４８と、タイミングジェネレータ４９は、ＣＰＵ３２からの指令に基づいて動作する。また、ＣＤＳＡＭＰ２５もＣＰＵ３２からの指令に基づいて動作する。
【００２９】
ＣＰＵ３２には、更に、撮影モード／再生モードを切り換えるスイッチ５１と、２段シャッタのシャッタレリーズボタン５２とが接続されている。ＣＰＵ３２は、これらスイッチ５１，５２から入力されるユーザ指示に基づき、デジタルカメラ１０を制御する。更に、本実施形態のデジタルカメラ１０は、ＣＰＵ３２の指示で動作するモータドライバ５３を備え、このモータドライバ５３は、ファインダ装置１５内の後述のＯＶＦシャッタ（この例ではメカニカルシャッタ）６２を開閉駆動する。
【００３０】
ファインダ装置１５は、被写体側ファインダ窓１６と撮影者側覗き窓１７との間に、例えば単焦点の対物レンズ６５と、ＯＶＦシャッタ６２と、偏光ビームスプリッタ６９を内部に持つプリズム６６と、接眼レンズ６４とがこの順に収納されている。
【００３１】
偏光ビームスプリッタ６９は、三角プリズムを２個が貼り合わせられる四角形の接合面に形成された誘電体多層膜等である。偏光ビームスプリッタ６９は、光が入射する側の表面が被写体からの入射光軸Ｌに対して斜め４５度になるように設置されている。この偏光ビームスプリッタ６９を内部に持つプリズム６６に隣接しかつ入射光軸Ｌに対して表示面が平行になるように、ＥＶＦパネル用の前述の液晶表示装置６１が設けられている。これにより、偏光ビームスプリッタ６９を透過した被写体からの入射光と、液晶表示装置６１から発せされ偏光ビームスプリッタ６９で反射した光とが重なった状態で撮影者の目に投影される様になっている。
【００３２】
ＥＶＦ用液晶表示装置６１には、カメラ背面に設けられた大型液晶表示装置４０と同じ情報が装置６１と装置４０のいずれか一方だけに排他的に表示される様に図示省略の切り替えスイッチが設けられており、この切り替えスイッチが撮影者によって切り替えられる。ＥＶＦ用液晶表示装置６１への表示情報は、固体撮像素子２１から出力されるスルー画像情報や、撮影後の撮影画像情報であるが、撮影条件情報等の情報も表示される。
【００３３】
ＯＶＦシャッタ６２を「開」状態としかつＥＶＦ用液晶表示装置６１を非表示とすることで、ファインダ装置１５が光学式ビューファインダ（ＯＶＦ）として使用される。ＯＶＦシャッタ６２を「閉」状態としかつＥＶＦ用表示装置６１にスルー画像情報と撮影条件情報を表示することで、ファインダ装置１５が電子ビューファインダ（ＥＶＦ）として使用される。
【００３４】
また、ＥＶＦ用表示装置６１に撮影条件情報等の情報を表示させ、ＯＶＦシャッタ６２を「開」状態とすることで、被写体の構図を光学式ビューファインダで確認しながら、撮影条件情報を同時に同一ファインダ枠内で確認することができる。
【００３５】
図３（ａ）は、ファインダ装置１５の被写体側ファインダ窓１６に入射し、偏光ビームスプリッタ６９を透過し、撮影者側覗き窓１７を透過して撮影者の目に投影された光学像の一例を示している。この図では、図２に示す被写体７０の光学像７０ａがファインダ枠７１の中央に映っている状態を示している。
【００３６】
図３（ｂ）は、ＥＶＦ用表示装置６１に表示する撮影条件等の情報の一例を示す図である。画面（ファインダ枠７１）の下側に、撮影モード情報７５を示す「Ｐ」（この例ではプログラム撮影モードを示す）と、撮影条件情報（シャッタ速度１／２０００秒、絞りＦ＝５．６、ＩＳＯ感度２００）７６が表示されている。また、画面内の右上に「１９枚」を例示する撮影枚数情報７７が表示されている。また、画面内には、中央部分にフォーカスさせる位置を示すＡＦフレーム枠７８と、フレーミングガイド線７９とが表示されている。
【００３７】
図４は、この図３（ａ）と図３（ｂ）の各情報を、ＯＶＦシャッタ６２を「開」にして重ねた状態を示している。この様にすることで、光学式ビューファインダによる被写体像に、ＥＶＦによる情報を重ねて表示させることが可能となる。
【００３８】
ここで注意することは、図３（ｂ）に示す各情報７５〜７９を「黒」で表示しないことである。光情報で「黒」色を表現することはできず、実際には光を遮光することで「黒」を表現している。液晶表示装置の場合、黒色にすべき画素位置を遮光してバックライトの光が前面に漏れ出ない様にすることで「黒」を表現している。
【００３９】
このため、この「黒」情報と、光学式ビューファインダの光「有り」の情報とが重ね合わされると、「黒」情報が光有りの「白」で上書きされてしまい、黒で表された情報が消えてしまう。そこで、「黒」での表示は止め、何らかの有彩色で図３（ｂ）に示す各情報７５〜７９を表示する。
【００４０】
なお、ＥＶＦ表示装置６１で表示するＥＶＦ情報は、上述した撮影条件情報に限るものではなく、例えば、固体撮像素子２１から出力されるスルー画像情報でも良く、また、撮影した直後に撮影した被写体画像をプレビュー表示する画像であっても良い。
【００４１】
図５は、ファインダ装置１５の外観斜視図である。被写体側のファインダ窓１６と撮影者側覗き窓１７との間にプリズム６６が設けられ、プリズム６６内に入射光軸Ｌに対して斜め４５度に傾いた偏光ビームスプリッタ６９が形成されている。
【００４２】
偏光ビームスプリッタ６９は、本実施形態ではダイクロイックミラーで構成され、図６（ａ）に示す様に、電界成分が入射面に垂直なＳ偏光波を反射し、図６（ｂ）に示す様に、電界成分が入射面に平行なＰ偏光波は透過する性質を持つ。このダイクロイックミラーを持つプリズム６６としては、市販品をそのまま利用しても良い。
【００４３】
プリズム６６とファインダ窓１６との間には、対物レンズ６５と、図５では図示を省略した図２のＯＶＦシャッタ６２とが設けられる。偏光ビームスプリッタ６９の光入射側に配置される対物レンズ６５の表面側には、Ｓ偏光波を反射する或いはカットする偏光フィルタ６５ａ（図７参照）が設けられている。この偏光フィルタ６５ａは、レンズ６５の他に別途用意しても良いが、偏光フィルタを形成する薄膜を対物レンズ６５の表面に形成してレンズ６５と一体にしても良い。
【００４４】
プリズム６６と撮影者用覗き窓１７との間には、接眼レンズ６４と保護ガラス６８とが設けられ、プリズム６６にＥＶＦ用液晶表示装置６１が並置される。ＥＶＦ用液晶表示装置６１とプリズム６６との間にもレンズ７３が設けられ、表示装置６１と図２のビデオエンコーダ４１とがＦＰＣ７４で接続される。
【００４５】
図７は、ファインダ装置１５を光学式ビューファインダとして使用する場合の説明図である。図２で説明したＯＶＦシャッタ６２（図７では図示省略）が「開」となり、ＥＶＦ液晶表示装置６１が非表示状態のとき、被写体からの入射光がファインダ装置１５のファインダ窓１６を通して入射する。
【００４６】
入射光のうち、Ｓ偏光波は偏光フィルタ６５ａでカットされ、Ｐ偏光波だけがプリズム６６に入射する。このＰ偏光波は、ほぼ１００％、偏光ビームスプリッタ６９を透過して直進し、撮影者の目に入射することになる。
【００４７】
Ｐ偏光波は、ほぼ１００％、偏光ビームスプリッタ６９を透過するが、僅かな光が偏光ビームスプリッタ６９で反射され、端面６７側に進む。しかし、この僅かな光は、端面６７に塗布された炭素膜に吸収されてしまい、有害光となる虞は極めて小さい。
【００４８】
ＯＶＦシャッタ６２を「閉」とし、ＥＶＦ用の液晶表示装置６１に画像情報や撮影条件情報等を表示すると、図８に示す様に、液晶表示装置６１からは表示画像の光が出射される。液晶表示装置６１は、画面に偏光板が貼り付けられているため、画面から出射される光は直線偏光された光となっている。この直線偏光の種類としては、Ｓ偏光波とＰ偏光波とがあるが、ＥＶＦ用の液晶表示装置６１として、Ｓ偏光波が出射されるものを選択して使用する。
【００４９】
プリズム６６に入射したＥＶＦ用表示装置６１からのＳ偏光波は、偏光ビームスプリッタ６９でほぼ１００％反射され、撮影者の目に向けて投射される。これにより、撮影者は、ＥＶＦ情報を目にすることが可能となる。
【００５０】
偏光ビームスプリッタ６９で、ほぼ１００％、Ｓ偏光波は反射されるが、極めて僅かな光が偏光ビームスプリッタ６９を透過して端面６７に進む。しかし、この僅かな光は、端面６７に塗布された炭素膜に吸収されてしまい、有害光となる虞は極めて小さい。
【００５１】
なお、上述した実施形態では、Ｓ偏光波をカットする偏光フィルタ６５ａを凹レンズでなる対物レンズ６５の光入射側（平面側）に設けたが、プリズム６６の光入射側に設けても良い。しかし、好ましくは、ファインダ窓１６の光入射側に設けるのが良い。ファインダ窓１６の光入射面で反射したＳ偏光波は、カメラ外に出射されるため、これが迷光となって有害光になる虞がないためである。偏光フィルタは、別体品としても、また、ファインダ窓１６にコーティングして一体化したものでもよい。コーティングしたものの方が、部品点数が減るため、組み立てコストの低減が図れる。
【００５２】
また、上述した実施形態では、ＥＶＦ用の液晶表示装置６１としてＳ偏光波が出射されるものを選択するとして説明したが、Ｐ偏光波が出射する液晶表示装置しか用意できない場合もある。この場合には、図８の液晶表示装置６１の光出射側のプリズム６６までの光路内に、偏光が９０度変わる位相板を設置し、Ｓ偏光波に変換すれば良い。
【００５３】
上述した実施形態では、ＯＶＦシャッタ６２を搭載した例を説明した。しかし、常時、ＯＶＦによる被写体の光学像にＥＶＦの表示情報を重ねて表示する構成の場合には、ＯＶＦシャッタ６２は必ずしも必要ない。
【００５４】
また、上述した実施形態では、ＥＶＦ用表示装置６１として液晶表示装置を用いており、画面に偏光板が貼られている。このため、ＥＶＦ用表示装置６１から出射される光がＳ偏光波又はＰ偏光波となっている。しかし、ＥＶＦ用表示装置６１として他の表示装置たとえば有機ＥＬ発光パネルを使用しても良い。この場合には、出射される光がＳ偏光波となる偏光板と組み合わせて使用すれば、上述した実施形態にそのまま適用可能となる。
【００５５】
以上述べた実施形態のファインダ装置は、被写体側ファインダ窓と撮影者側ファインダ覗き窓との間に配置され前記被写体側ファインダ窓からの入射光の光軸に対して斜め４５度に傾斜して配置された偏光ビームスプリッタと、該偏光ビームスプリッタの前記入射光が入って来る側に設けられ該入射光の中のＳ偏光波を反射又はカットする偏光フィルタと、前記偏光ビームスプリッタにＳ偏光波の表示情報を投射し該偏光ビームスプリッタで反射された前記表示情報を前記撮影者側ファインダ覗き窓の方向に投影する表示装置とを備える。
【００５６】
また、実施形態のファインダ装置は、前記表示装置は画面に貼られた偏光板からＳ偏光波が出射される液晶表示装置を有する。
【００５７】
また、実施形態のファインダ装置は、前記表示装置は画面に貼られた偏光板からＰ偏光波が出射される液晶表示装置を有し、該液晶表示装置と前記偏光ビームスプリッタとの間に偏光が９０度変わる位相板が介挿される。
【００５８】
また、実施形態のファインダ装置の前記偏光フィルタは、前記偏光ビームスプリッタの前記入射光が入ってくる側に配置される対物レンズの表面側に設けられる。
【００５９】
また、実施形態のファインダ装置の前記偏光フィルタは、前記対物レンズの前記表面側にコーティングされて形成される。
【００６０】
また、実施形態のファインダ装置の前記偏光フィルタは、前記被写体側ファインダ窓の光入射面側に設けられる。
【００６１】
また、実施形態のファインダ装置の前記偏光フィルタは、前記被写体側ファインダ窓の光入射面にコーティングされて形成される。
【００６２】
また、実施形態のファインダ装置は、前記偏光ビームスプリッタがダイクロイックミラーで形成される。
【００６３】
また、実施形態のファインダ装置は、前記偏光ビームスプリッタの前記入射光が入ってくる側に、該入射光を透過し又は遮断するシャッタが設けられる。
【００６４】
また、実施形態の撮像装置は、被写体の画像を撮像する固体撮像素子と、上記のいずれかに記載のファインダ装置を搭載する。
【００６５】
以上述べた実施形態によれば、Ｓ偏光波のほぼ１００％を反射しＰ偏光波のほぼ１００％を透過する偏光ビームスプリッタを用いてハイブリッドファインダ装置を構成したため、偏光ビームスプリッタを透過するＳ偏光波や反射するＰ偏光波は極めて小さくなり、有害光が低減し、見易いＯＶＦ光像，ＥＶＦ画像をファインダを覗く撮影者に提供可能となる。
【産業上の利用可能性】
【００６６】
本発明に係るファインダ装置によれば、有害光が極めて小さくなるため、ファインダを通して見る光像や画像を鮮明に見ることができ、見易いハイブリッドファインダ装置を提供することができ、デジタルカメラに適用すると有用である。
本発明を詳細に又は特定の実施形態を参照して説明したが、本発明の精神と範囲を逸脱することなく様々な変更や修正を加えることができることは当業者にとって明らかである。
本出願は、２０１０年９月１７日出願の日本特許出願（特願２０１０−２１０２２７）に基づくものであり、その内容はここに参照として取り込まれる。
【符号の説明】
【００６７】
１０  デジタルカメラ
１１  筐体
１３  撮影レンズ
１５  ハイブリッドなファインダ装置
１６  被写体側ファインダ窓
１７  撮影者側覗き窓
２１  固体撮像素子
３２  ＣＰＵ
３３  画像信号処理回路
６１  ＥＶＦ用液晶表示装置
６２  ＯＶＦシャッタ
６５  対物レンズ
６５ａ  偏光フィルタ（Ｓ偏光波カットフィルタ）
６６  プリズム
６７  端面（炭素膜塗布）
６９  偏光ビームスプリッタ
７５〜７９  ＥＶＦ用各種情報
【図１】
2012035820.tif 000003
【図２】
2012035820.tif 000004
【図３】
2012035820.tif 000005
【図４】
2012035820.tif 000006
【図５】
2012035820.tif 000007
【図６】
2012035820.tif 000008
【図７】
2012035820.tif 000009
【図８】
2012035820.tif 000010
【図９】
2012035820.tif 000011
【国際調査報告】
2012035820.tif 000012
2012035820.tif 000013
2012035820.tif 000014
2012035820.tif 000015